(57)【要約】  複雑なフレーム（１）を得るために複数のモジュールフレーム（１０）を組立て、各モジュールフレーム内に適切なパネル（９）によって実装される壁及び床を備えることによって得られるタイプの、関連一体化プラントを有するモジュール式建築構造（１００）は、１つまたは複数のプラントのダクトを、モジュールフレーム及びそれぞれの壁に連結することを可能にし、プラントは、モジュールごとのダクトの配置構成における反復についての必要性を存在させることなく、設計中に既に適切に配置された迅速接続部を単に使用することによって、モジュールフレームの組立て中に構築されることをもたらし、モジュールフレームは、実質的に平行六面体に似た形状を有し、モジュールフレームは、それぞれの角で接合する梁によって識別され、前記角で、隣接するモジュールフレームを接合する複数の接続ノット（５）を備え；並んだモジュールフレームの隣接する梁（２，３，４）は、前記ノット（５）によって離間され、前記パネル（９）及び前記ノットは、前記ノットが属するモジュールフレームの梁に接続されて、空気ギャップを生成し；各ノット（５）は、３つのそれぞれの交差及び貫通チャネルを備え；一体化プラントは、前記空気ギャップ内にかつ前記貫通チャネル内に配置された複数のダクト（１１，１３）を有し、モジュール式建築構造（１００）は、モジュールフレームの縁及び／または角において、１つのモジュールフレームに関連するダクト（１１，１３）を、１つのモジュールフレームに並んで設置された別のモジュールフレームのダクトに接続するための迅速接続部を備える。【選択図】図３
2019502044.tif 000002
【特許請求の範囲】
【請求項１】
複雑なフレーム（１）を得るために複数のモジュールフレーム（１０）を組立て、各モジュールフレーム内に適切なパネル（９）によって実装される壁及び床を含むことによって得られるタイプの、関連一体化プラントを有するモジュール式建築構造（１００）であって、
・前記モジュールフレーム（１０）は、実質的に平行六面体に似た形状を有し、前記モジュールフレーム（１０）は、それぞれの角で接合する縦梁（２）、垂直梁（３）、及び横梁（４）によって識別され、前記角で、隣接するモジュールフレーム（１０）を接合する、または、平坦地階（８０）に対するまたは屋根構造に対する前記モジュールフレーム（１０）の接続を可能にする複数の接続ノット（５）を備え、
・並んだモジュールフレームの前記隣接する梁（２，３，４）は、前記ノット（５）によって離間され、前記パネル（９）は、前記ノット（５）が属する前記モジュールフレームの梁に接続されて、前記モジュールフレームを分離する壁または床を形成するパネル（９）の間に空気ギャップを生成し、
・各ノット（５）は、前記梁（２，３，４）に平行なそれぞれの直交軸に従って配置された３つのそれぞれの交差及び貫通チャネルを備え、
・前記一体化プラントは、前記空気ギャップ内にまた前記貫通チャネル内に配置され、それぞれのモジュールフレームに限定された複数のダクト（１１，１３）を有し、前記モジュールフレームの縁及び／または角において、１つのモジュールフレームに関連するダクト（１１，１３）を、前記１つのモジュールフレームに並んで設置された別のモジュールフレームのダクトに接続するための迅速接続部を備える、前記モジュール式建築構造（１００）。
【請求項２】
前記梁（２，３，４）は、Ｌに似た断面を有し、前記それぞれのモジュールフレームの内部に向く窪みを有し、前記パネル（９）は、前記梁（２，３，４）の内部に載置する前記梁に限定される、請求項１に記載の関連一体化プラントを有するモジュール式建築構造（１００）。
【請求項３】
各ノット（５）は、２つずつ向き合う６つの壁によって形成された中空平行六面体のように形作られた内部コア（６）を有するボックスに似た構造を有し、各壁は、直交軸に従って開口したそれぞれの貫通チャネルを形成するような開口（７）を有し、各開口において、前記ノット（５）は、対応する支持板（７）であって、２つずつ、互いに平行であるまたは直交する、対応する支持板（７）を備え、１つまたは複数の隣接する支持板（７）によって画定される平面を超えて延在する各支持板（７）は、前記梁（２，３，４）用のそれぞれの載置部を画定する、請求項１に記載の関連一体化プラントを有するモジュール式建築構造（１００）。
【請求項４】
パネル角（９）用の３つの載置壁によって角空間を形成する角載置部が設けられ、各角は、互いに接続された２つまたは３つの壁によって形成されたボックスに似たタイプのそれぞれの接続要素（８）を備え、前記接続要素（８）は、前記それぞれの載置部と接触することになる、請求項２に記載の関連一体化プラントを有するモジュール式建築構造（１００）。
【請求項５】
前記モジュールフレームは、長方形面を有する直平行六面体の形状を有し、前記モジュールフレームが、通常ルートによって輸送され得るコンテナの標準的な形状内に入ることを可能にするサイズを有する、請求項１に記載の関連一体化プラントを有するモジュール式建築構造（１００）。
【発明の詳細な説明】
【技術分野】
【０００１】
本発明は、複雑な建築物が、そこから実装される複雑なフレームを得るために複数のモジュールフレームを組立て、各モジュールフレーム内に適切なパネルによって実装される壁及び床を含むことによって得られるタイプの、関連一体化プラントを有するモジュール式建築構造に関する。
【背景技術】
【０００２】
一体化プラントの下で、相互接続されたダクトを含む建築物に対してサービスを提供するための任意のプラントが意味される。例として、ラジエータを通したまたは床に一体化された加熱用熱プラント；熱い及び／または湿った空気を取出し、冷却された及び／または乾燥した空気を入れるためのダクトを有する調節プラント；制御された機械式換気用のプラント；燃料ガス、酸素、窒素等のサービスガスを分配するためのサービス；粉体及び残留物を吸引するためのプラント；空気をろ過するためのプラント；電気ケーブル、ネットワークケーブル、同軸ケーブル等を含むダクトを有する電気プラントまたは通信プラント；ホット及びコールドネットワーク水ダクト；廃水及び白濁水を廃棄するためのダクト等が述べられ得る。
【０００３】
制限のためでなく純粋に例として述べた前記プラントは、モジュール式建築物の壁に連結されるダクトの存在を共通に有し、そのダクトは、それぞれのプラントの運転を可能にするために相互接続されなければならない。
【０００４】
米国特許第４２０８３０７号明細書は、予め作製済みの壁を有する建築システムを記載し、一部のパイプは、こうした壁の内部に一体化され、パイプの縁に近づくことによって迅速に接続され得る。
【０００５】
米国特許第５２１２９１５号明細書は、特に、研究所及び同様なもののために、被嵌合壁を組立てるためのシステムを記載し、一部のパイプは、支持梁と共に壁内に一体化される。
【０００６】
米国特許出願公開第２００５／２４１２４２号明細書は、モジュール式建築物を開示し、プラントのダクトは、それぞれの方法で異なるモジュール内に一体化される。
【０００７】
米国特許出願公開第２０１５／１３５６２３号明細書は、予め作製済みの建築物用のパネルを記載し、内部ストラット組立体は穴を装備し、ダクトは前記穴を通してパネルに固定される。
【０００８】
特開平０９−３２８８１８号公報は、モジュール式フレームによって形成される建築構造を記載し、技術プラントのダクト用の通路セクションが設けられる。モジュール式建築物の構造の他の例は、特開２００９−２０９５５１号公報及び特開２００９−２２８３６９号公報に記載される。
【０００９】
そして、現在の技術水準は、壁自体の組立て中に互いに接続され得るパネルまたは壁内に既に一体化されたプラントのダクトを示すが、実をいうと、ダクトは、全体としてモジュールフレームに一体化されず、したがって、建築物の複雑なフレームを構築した後に一体化されるプラントに関する全てのものを付加することを必要にし、全体設計を複雑にし、実装時間を長くする。
【００１０】
本発明の基礎にある技術的問題は、知られている技術を参照して述べた欠点を回避することを可能にする関連一体化プラントを有するモジュール式建築構造を提供することである。
【先行技術文献】
【特許文献】
【００１１】
【特許文献１】米国特許第４２０８３０７号明細書
【特許文献２】米国特許第５２１２９１５号明細書
【特許文献３】米国特許出願公開第２００５／２４１２４２号明細書
【特許文献４】米国特許出願公開第２０１５／１３５６２３号明細書
【特許文献５】特開平０９−３２８８１８号公報
【特許文献６】特開２００９−２０９５５１号公報
【特許文献７】特開２００９−２２８３６９号公報
【発明の概要】
【発明が解決しようとする課題】
【００１２】
解決策の考えは、ダクトを一体化することにあり、ダクトは、それぞれのプラントを壁にではなく各モジュールフレームに提供することになり、モジュールフレームは、既に配置済みのダクトの間の単純な接続部を有するプラントを実装することによって他のモジュールフレームと簡単に組立てられる可能性があることである。
【課題を解決するための手段】
【００１３】
こうした問題は、関連一体化プラントを有するモジュール式建築構造によって解決され、モジュール式建築構造は、
・モジュールフレームが、実質的に平行六面体に似た形状を有し、モジュールフレームが、それぞれの角で接合する縦梁、垂直梁、及び横梁によって識別され、前記角で、隣接するモジュールフレームを接合する、または、平坦地階に対するまたは屋根構造に対するモジュールフレームの接続を可能する複数の接続ノットを備え、
・並んだモジュールフレームの隣接する梁が、前記ノットによって離間され、前記パネルが、ノットが属するモジュールフレームの梁に接続されて、モジュールフレームを分離する壁または床を形成するパネルの間に空気ギャップを生成し、
・各ノットが、前記梁に平行なそれぞれの直交軸に従って配置された３つのそれぞれの交差及び貫通チャネルを備え、
・一体化プラントが、前記空気ギャップ内にまた前記貫通チャネル内に配置され、それぞれのモジュールフレームに限定された複数のダクトを有し、モジュールフレームの縁及び／または角において、１つのモジュールフレームに関連するダクトを、１つのモジュールフレームに並んで設置された別のモジュールフレームのダクトに接続するための迅速接続部を備える。
【００１４】
本発明による関連一体化プラントを有する建築構造の主要な利点は、モジュールフレーム及びそれぞれの壁に対する１つまたは複数のプラントのダクトの連結を可能にすることにあり、プラントは、モジュールからモジュールへのダクトの配置の反復についての必要性がない状態で、設計中に適切に配置された迅速接続部を単に使用することによって、モジュールフレームの組立て中に構築されることをもたらす。
【００１５】
本発明は、開示される図面を参照して、制限するためではなく例として提供されるその好ましい実施形態の例に従って以降で述べられる。
【図面の簡単な説明】
【００１６】
【図１】本発明による外装を受取るのに適する構造の幾つかのモジュールフレームを組立てることによって得られる複雑な構造の軸測図であり、述べる寸法は、制限値ではなく、純粋に指示値を示す。
【図１Ａ】図１のモジュールフレームの詳細を示す図であり、分解図は、本発明による外装を組立てるためのスキームを示す。
【図２】図１の複雑なフレームによって得られる部分断面の複雑な構造の軸測図である。
【図３】半透明で示す図２の建築物のプラントの軸測図である。
【図４】半透明で示す図２の建築物のプラントの軸測図である。
【図５】仕上げ部を備えている複雑な建築物の斜視図である。
【発明を実施するための形態】
【００１７】
図１を参照することによって、モジュール式建築構造の複雑なフレームは１で指定される；複雑なフレームは、或る数のモジュールフレーム１０によって構成され、モジュールフレームは、実質的に平行六面体に似た形状を有し、縦梁２、垂直梁３、及び横梁４によって識別される。
【００１８】
平行六面体の下で、この場合、長方形面を有する直平行六面体が意味される。各モジュールフレーム１０は、コンテナのプロファイル内にモジュールフレームが入ることを可能するサイズを有し、コンテナは、組立てサイトから生産サイトまでコンテナを移動させるために特別な輸送手段を必要とすることなく、連結式車両のプラットフォーム上にロードされた場合、通常のルートによって輸送され得る。建築モジュールは、その後、各モジュールフレームに対応することになり、建築モジュールは、天井及び床を含むフロアを備える関連する外装または間仕切りを備え、それらは、敷設サイトに輸送される前に、所定の作業で組立てられ得る。
【００１９】
そして、各モジュールフレーム１０は、縦、垂直、及び横梁２、３、４が接合する角を有する。こうした角において、複雑なフレーム１は、複数の接続ノット５を備え、複数の接続ノット５は、同じ水平または垂直平面で、段違い平面上の下側または上側で、横方向に隣接するモジュールフレーム１０を接合する、または、適切に配置された平坦地階８０に対するまたは示さない屋根構造に対するモジュールフレームの接続を可能にする。
【００２０】
隣接するモジュールフレーム１０の場合、モジュールフレーム１０は、縦壁、垂直壁、上部壁、または下部壁に向く可能性があり、さもなければ、段違い平面上のフレームの場合、モジュールフレーム１０は、同じタイプの２つの梁であって、一方の梁が他の梁の上に向く、２つの梁を有する縁部を共通に有することになる。
【００２１】
したがって、各ノット５の形状は、ノットの位置に応じて変化し、特に、各ノット５は、１から８まで変動する或る番号のモジュールフレームと地階の相互接続を実現することが可能であるべきである。
【００２２】
一般に、各ノット５は、２つずつ向き合う６つの壁によって形成された立方体で中空の平行六面体のように形作られた内部コア６を有するボックスに似た構造を有し、各壁は円開口を有するため、開口は、直交軸Ｘ、Ｙ、及びＺに従って、開口したまた貫通するそれぞれのチャネルを形成する。こうしたチャネルは開口し、コア内部部分は、シャープな屈曲部を予備成形することによって、チャネルを通してまたは１つのチャネルから他のチャネルまで通過するための空間を提供する。
【００２３】
コアは、好ましくは、一体成形でかつ適切な厚さを持って、適切な材料、例えば鋼で作られて、任意の設計応力に対する必要とされる抵抗を有する可能性がある。
【００２４】
更に、各開口において、コア６は、対応する支持板７であって、全部で６つの支持板について、２つずつ、互いに平行であるまたは直交する、対応する支持板７を備え； 特に、他の板の前にある１つの開口の板７は互いに平行であり、隣接する板に関する開口の板７は互いに直交する。
【００２５】
更に、支持板は、コア６との一体成形による場合、適した材料で、または、複数のピースの溶接によって作られる可能性がある。
【００２６】
各支持板７は、隣接する板７によって画定される平面を超えて延在する場合、モジュールフレーム角用の角度または側部載置部を画定する。
【００２７】
図２を参照することによって、コア６の角において、板７は、３つの載置壁を有する角空間を形成する、３つの支持板７によって形成される角載置部を決定することによって、２つの隣接する板を超えて延在する、また、その逆も同様である。
【００２８】
そうでなければ、コア６の角において、２つの支持板７は、２つのＬのように位置決めされた板端によって形成された側部載置部を形成することによって、一方の支持板が他の支持板を超えるように延在し得る、また、その逆も同様である。
【００２９】
支持板７が、隣接する板のいずれの板とも交差しない場合、板７は、地階または屋根に接続され得る載置平面を形成する。
【００３０】
そして、ノット５の形状は、隣接するモジュールフレームを接続するだけでなく、フレームを互いから離間させることも可能にする。これは、２つの実質的に組合された効果を決定する：
１．モジュールフレームを組立てることによって得られる複雑なフレームの全体サイズは、単一モジュールフレームのサイズの合計より大きいことになる、また、
２．各モジュールフレーム間の距離は、各ノット５における先に述べたチャネルの存在と共に、電気プラント、天然水（給水本管からの水、白濁水、廃水、加熱水、冷却水）プラント、空調プラント、サービス管、アラームプラント等を全体にわって容易に配置することを可能にする可能性がある。
【００３１】
前記効果の第１の効果は、単純な方法で、通常のコンテナとして輸送され得る予め組立て済みの各モジュールを作成し、その後、建築物であって、その全体のサイズが、普通なら、通常の輸送システムに適合しないことになる、建築物を得ることを可能にする。
【００３２】
これに関して、先に述べた角載置部は、各モジュールフレームの角を受取るのに有用であることになる。各角は、互いに接続された２つまたは３つの壁によって形成される、ボックスに似たタイプの接続要素８を含むことになり、接続要素８は、それぞれの載置部と接触状態にある。
【００３３】
有利には、フレーム梁は、内部パネル９の縁を支持するために、内部角がモジュールフレームの内部空間の方に向いた状態でＬに似た断面を有する。
【００３４】
Ｌに似た梁ならびに接続要素８は、適切な材料、例えば、折り曲げ鋼板または鍛造鋼板で作られる、または、溶接によって得られる可能性がある。
【００３５】
各モジュールは、モジュールごとに繰返すフレームによって形成されるが、非常に異なる形状をとる可能性があるが、各モジュールは、複雑な建築物の外部表面を形成する壁において、気候上の重要エリアに適合し得る外装を含むことになる。
【００３６】
留意され得るように（図１Ａ）、建築物の構造の壁を形成するパネル９が存在する。各パネル９は、パネル９が接続されるまたは載置されるＬに似た各梁の内部に挿入され、パネル９は、それ自身の上にまたは隣接する梁に締結されたパネル９と共に壁を形成する。
【００３７】
換言すれば、並んだモジュールフレームの隣接する梁は、ノットによって離間され、ノットが属するモジュールフレームの梁に接続されるパネル９は、壁を形成するパネルの間に空気ギャップを形成する；同じことが、フロアについても有効であり、フロアは、最も高いフロアの天井と屋根構造との間の空間について、また、最も低いフロアのパネルと地階８０との空間について、並んで設置されているが、空気ギャップによって分離され離間されている天井及び床を示す。
【００３８】
上述したことから、先に述べた空気ギャップ及びノット５に一体化されたチャネルによって提供される空間は、設計中に、同じダクトを、それぞれの壁またはそれぞれのパネルに対してだけでなく、モジュールフレームまたは建築構造１００（図５）を形成するために設計されるモジュールに対しても限定することによって、任意の特質のダクトを内部に配置する可能性を提供する。
【００３９】
１つのモジュールに関連するダクトと別の隣接するモジュールにリンクされるダクトとの間の接続を実装するために、一体化プラントにおいて、一体化プラントは、前記空気ギャップ内にまた前記貫通チャネル内に配置された複数のダクトを有し、一体化プラントは、モジュールフレームの縁または角において、１つのモジュールフレームに関連するダクトを、１つのモジュールフレームに並んで設置された別のモジュールフレームのダクトに接続するための迅速接続部を備える。
【００４０】
図３及び４を参照することによって、第１のダクト１１及びラジエータ１２を含む水加熱システムが例として示される；１つのモジュールから別の隣接するモジュールに通過することによって、プラントが、前記複数の接続部を有し、前記複数の接続部が、ノット５におけるシャープな接続部、直線接続部または更にＴに似た接続部あるいは更により複雑な接続部を備えることが留意される。
【００４１】
更に、空気をノズル１４まで輸送する第２のダクト１３を有する調節プラントが存在する。やはり、このプラントは、それぞれの複数の接続部を有し、複数の接続部は、ノット５におけるシャープな接続部、直線接続部または更にＴに似た接続部あるいは更により複雑な接続部を備える。
【００４２】
これらのスキームが、ダクトを有する任意のタイプのプラントについて実質的に繰返され得ることが容易に理解される。上述したコンポーネントは、耐火特徴、耐膨張特徴を持つように、また、腐食から保護されるように処理されることになる。
【００４３】
関連一体化プラントを有する上述したモジュール式建築構造に対して、当業者は、更なるまた付随するニーズを満たすために、幾つかの更なる修正及び変形を導入する可能性があり、しかし、それら全ては、包含される特許請求の範囲によって規定される、本発明の保護範囲内にある。
【図１】
2019502044.tif 000003
【図１Ａ】
2019502044.tif 000004
【図２】
2019502044.tif 000005
【図３】
2019502044.tif 000006
【図４】
2019502044.tif 000007
【図５】
2019502044.tif 000008
【国際調査報告】
2019502044.tif 000009
2019502044.tif 000010